(57)【要約】【課題】  携帯電話機等の通信装置と通信を行う無線通信装置の一部が故障した場合にも、残部によって通信処理を継続することができる基地局、通信システム、通信方法および通信制御用プログラムを提供する。【解決手段】送信データ生成部は、複数の送信部に応じたデータを含む送信データを生成し、生成した送信データを送信装置に供給する。送信データ生成部は、複数の送信部のうち一の送信部によって送信される信号に応じたデータである特定データを含む送信データを生成し、故障検出部が一の送信部が故障したことを検出した場合に、特定データに基づく信号が一の送信部でない他の送信部によって送信されるように当該送信データを生成する。【選択図】      図１５
2018121138.tif 000002
【特許請求の範囲】
【請求項１】
データに基づく信号を送信する複数の送信手段を含む送信装置に接続され、
前記複数の送信手段に応じた前記データを含む送信データを生成し、生成した前記送信データを前記送信装置に供給する送信データ生成手段と、
前記複数の送信手段の動作状態を監視する故障検出手段とを備え、
前記送信データ生成手段は、
前記複数の送信手段のうち一の送信手段によって送信される信号に応じたデータである特定データを含む送信データを生成し、
前記故障検出手段が前記一の送信手段が故障したことを検出した場合に、前記特定データに基づく信号が前記一の送信手段でない他の送信手段によって送信されるように前記送信データを生成する
ことを特徴とする基地局。
【請求項２】
互いに異なる無線通信方式のそれぞれに応じて、前記送信データ生成手段および前記故障検出手段を含むデータ処理手段を含み、
一のデータ処理手段に含まれる送信データ生成手段は、他のデータ処理手段の故障検出手段が一の送信手段が故障したことを検出した場合に、前記特定データに基づく信号が前記一の送信手段でない他の送信手段によって送信されるように前記送信データを生成する
請求項１に記載の基地局。
【請求項３】
前記他のデータ処理手段に含まれる故障検出手段は、前記送信装置に含まれる複数の送信手段のうち一の送信手段が故障したことを検出した場合に、前記一のデータ処理手段に故障が発生したことを通知し、
前記通知がなされた前記一のデータ処理手段に含まれている送信データ生成手段は、前記送信装置に含まれる前記複数の送信手段のうち前記一の送信手段でない他の送信手段によって送信されるように前記送信データを生成する
請求項２に記載の基地局。
【請求項４】
前記送信データ生成手段は、
各送信手段に応じた所定のフィールドにデータを配置して送信データを生成することによって、各送信手段による対応するデータに基づく信号の送信を可能にし、
前記故障検出手段が前記一の送信手段が故障したことを検出した場合に、前記一の送信手段でない他の送信手段に応じたフィールドに、前記特定データを配置した送信データを生成する
請求項１から請求項３のうちいずれか１項に記載の基地局。
【請求項５】
前記送信装置を含む
請求項１から請求項４のうちいずれか１項に記載の基地局。
【請求項６】
データに基づく信号を送信する複数の送信手段を含む送信装置と、
前記送信装置に接続され、前記複数の送信手段に応じた前記データを含む送信データを生成し、生成した前記送信データを前記送信装置に供給する送信データ生成手段および前記複数の送信手段の動作状態を監視する故障検出手段を備える基地局と
を含み、
前記送信データ生成手段は、
前記複数の送信手段のうち一の送信手段によって送信される信号に応じたデータである特定データを含む送信データを生成し、
前記故障検出手段が前記一の送信手段が故障したことを検出した場合に、前記特定データに基づく信号が前記一の送信手段でない他の送信手段によって送信されるように前記送信データを生成する
ことを特徴とする通信システム。
【請求項７】
前記基地局は、互いに異なる無線通信方式のそれぞれに応じて、前記送信データ生成手段および前記故障検出手段を含むデータ処理手段を含み、
一のデータ処理手段に含まれる送信データ生成手段は、他のデータ処理手段の故障検出手段が一の送信手段が故障したことを検出した場合に、前記特定データに基づく信号が前記一の送信手段でない他の送信手段によって送信されるように前記送信データを生成する
請求項６に記載の通信システム。
【請求項８】
データに基づく信号を送信する送信装置に含まれる複数の送信手段のうち一の送信手段によって送信される信号に応じたデータである特定データを含む送信データを生成し、生成した前記送信データを前記送信装置に供給し、
前記複数の送信手段の動作状態を監視し、
前記一の送信手段が故障したことを検出した場合に、前記特定データに基づく信号が前記一の送信手段でない他の送信手段によって送信されるように前記送信データを生成する
ことを特徴とする通信方法。
【請求項９】
前記送信装置の各送信手段に応じた所定のフィールドにデータを配置して送信データを生成することによって、各送信手段による対応するデータに基づく信号の送信を可能にし、
前記一の送信手段が故障したことを検出した場合に、前記一の送信手段でない他の送信手段に応じたフィールドに、前記特定データを配置した送信データを生成する
請求項８に記載の通信方法。
【請求項１０】
コンピュータに、
データに基づく信号を送信する送信装置に含まれる複数の送信手段に応じた前記データを含む送信データを生成し、生成した前記送信データを前記送信装置に供給する送信データ生成処理と、
前記複数の送信手段の動作状態を監視する故障検出処理とを実行させ、
前記送信データ生成処理で、
前記複数の送信手段のうち一の送信手段によって送信される信号に応じたデータである特定データを含む送信データを生成させ、
前記故障検出処理で前記一の送信手段が故障したことが検出された場合に、前記特定データに基づく信号が前記一の送信手段でない他の送信手段によって送信されるように前記送信データを生成させる
ための通信制御用プログラム。
【発明の詳細な説明】
【技術分野】
【０００１】
本発明は、基地局、通信システム、通信方法および通信制御用プログラムに関する。
【背景技術】
【０００２】
移動体通信で用いられる基地局に備えられたアンテナ等が故障した場合に、基地局は、携帯電話機等の通信装置と通信するための処理（以下、通信処理ともいう）を実行できなくなるときがある。例えば、災害の発生により、送信ダイバーシチに用いられる複数のアンテナのうちの一つが故障した場合に、基地局は、当該故障したアンテナを用いて信号を送信することができなくなる。そして、例えば、故障したアンテナを修理するために基地局に派遣された保守人員が、基地局に到着するまでには相当な時間を要することも想定されるので、基地局は、基地局に備えられたアンテナ等が故障した場合においても、可能な限り、通信処理を続けることが望ましい。
【０００３】
特許文献１には、３Ｇ（３ｒｄ  Ｇｅｎｅｒａｔｉｏｎ）方式に対応する機能を有する部位と、ＬＴＥ（Ｌｏｎｇ  Ｔｅｒｍ  Ｅｖｏｌｕｔｉｏｎ）方式に対応する機能を有する部位とを備える基地局装置が記載されている。
【０００４】
特許文献２には、第１監視制御装置と第２監視制御装置とに接続された無線装置共用装置が記載されている。
【先行技術文献】
【特許文献】
【０００５】
【特許文献１】特開２０１３−２４７４３１号公報
【特許文献２】特開２０１１−１３９３２７号公報
【発明の概要】
【発明が解決しようとする課題】
【０００６】
特許文献１に記載された装置および特許文献２に記載された装置では、例えば、基地局と携帯電話機等の通信装置との間の通信に用いられている基地局のアンテナ等が故障した場合に、基地局は、当該アンテナを用いて、携帯電話機等の通信装置と通信することができない。
【０００７】
本発明は、上記課題に鑑み、携帯電話機等の通信装置と通信を行う無線通信装置の一部が故障した場合にも、残部によって通信処理を継続することができる基地局、通信システム、通信方法および通信制御用プログラムを提供することを目的とする。
【課題を解決するための手段】
【０００８】
本発明の基地局は、データに基づく信号を送信する複数の送信手段を含む送信装置に接続され、前記複数の送信手段に応じた前記データを含む送信データを生成し、生成した前記送信データを前記送信装置に供給する送信データ生成手段と、前記複数の送信手段の動作状態を監視する故障検出手段とを備え、前記送信データ生成手段は、前記複数の送信手段のうち一の送信手段によって送信される信号に応じたデータである特定データを含む送信データを生成し、前記故障検出手段が前記一の送信手段が故障したことを検出した場合に、前記特定データに基づく信号が前記一の送信手段でない他の送信手段によって送信されるように前記送信データを生成する。
【０００９】
本発明の通信システムは、データに基づく信号を送信する複数の送信手段を含む送信装置と、前記送信装置に接続され、前記複数の送信手段に応じた前記データを含む送信データを生成し、生成した前記送信データを前記送信装置に供給する送信データ生成手段および前記複数の送信手段の動作状態を監視する故障検出手段を備える基地局とを含み、前記送信データ生成手段は、前記複数の送信手段のうち一の送信手段によって送信される信号に応じたデータである特定データを含む送信データを生成し、前記故障検出手段が前記一の送信手段が故障したことを検出した場合に、前記特定データに基づく信号が前記一の送信手段でない他の送信手段によって送信されるように前記送信データを生成する。
【００１０】
本発明の通信方法は、データに基づく信号を送信する送信装置に含まれる複数の送信手段のうち一の送信手段によって送信される信号に応じたデータである特定データを含む送信データを生成し、生成した前記送信データを前記送信装置に供給し、前記複数の送信手段の動作状態を監視し、前記一の送信手段が故障したことを検出した場合に、前記特定データに基づく信号が前記一の送信手段でない他の送信手段によって送信されるように前記送信データを生成する。
【００１１】
本発明の通信制御用プログラムは、コンピュータに、データに基づく信号を送信する送信装置に含まれる複数の送信手段に応じた前記データを含む送信データを生成し、生成した前記送信データを前記送信装置に供給する送信データ生成処理と、前記複数の送信手段の動作状態を監視する故障検出処理とを実行させ、前記送信データ生成処理で、前記複数の送信手段のうち一の送信手段によって送信される信号に応じたデータである特定データを含む送信データを生成させ、前記故障検出処理で前記一の送信手段が故障したことが検出された場合に、前記特定データに基づく信号が前記一の送信手段でない他の送信手段によって送信されるように前記送信データを生成させる。
【発明の効果】
【００１２】
携帯電話機等の通信装置と通信を行う無線通信装置の一部が故障した場合にも、残部によって通信処理を継続することができる。
【図面の簡単な説明】
【００１３】
【図１】第１の実施形態における通信システムの構成例を示す図である。
【図２】第１の実施形態におけるｅＮｏｄｅＢの構成例を示すブロック図である。
【図３】第１の実施形態におけるＮｏｄｅＢの構成例を示すブロック図である。
【図４】第１の実施形態における共用ＲＥの構成例を示すブロック図である。
【図５】第１の実施形態における保守監視制御装置の構成例を示すブロック図である。
【図６】第１の実施形態における他の保守監視制御装置の構成例を示すブロック図である。
【図７】第１の実施形態における共用ＲＥが実行する故障検出処理を示すフローチャートである。
【図８】第１の実施形態におけるｅＮｏｄｅＢが実行するデータの入替処理を示すフローチャートである
【図９】第１の実施形態におけるＮｏｄｅＢが実行するデータの入替処理を示すフローチャートである。
【図１０】第１の実施形態における共用ＲＥが実行するデータの送信処理を示すフローチャートである。
【図１１】第２の実施形態における通信システムの構成例を示す図である。
【図１２】第２の実施形態における一体型基地局の構成例を示すブロック図である。
【図１３】第２の実施形態における一体型基地局が実行するデータの入替処理を示すフローチャートである。
【図１４】第２の実施形態における共用ＲＥが実行するデータの送信処理を示すフローチャートである。
【図１５】第３の実施形態における基地局の構成例を示すブロック図である。
【図１６】第４の実施形態における通信システムの構成例を示すブロック図である。
【発明を実施するための形態】
【００１４】
＜第１の実施形態＞
第１の実施形態の通信システム１について、図面を参照して説明する。図１は、第１の実施形態の通信システム１の構成例を示すブロック図である。通信システム１は、ｅＮｏｄｅＢ（Ｅ（Ｅｖｏｌｖｅｄ）−ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）  ＮｏｄｅＢ）１００と、ＮｏｄｅＢ２００と、共用ＲＥ（Ｒａｄｉｏ  Ｅｑｕｉｐｍｅｎｔ）３００とを含む。
【００１５】
ｅＮｏｄｅＢ１００と、ＮｏｄｅＢ２００とは、互いの間で通信するために互いに接続可能である。例えば、ｅＮｏｄｅＢ１００と、ＮｏｄｅＢ２００とは、ＣＰＲＩ（Ｃｏｍｍｏｎ  Ｐｕｂｌｉｃ  Ｒａｄｉｏ  Ｉｎｔｅｒｆａｃｅ）の仕様に従って互いに接続される。ｅＮｏｄｅＢ１００と、共用ＲＥ３００とは、互いの間で通信するために互いに接続可能である。例えば、ｅＮｏｄｅＢ１００と、共用ＲＥ３００とは、ＣＰＲＩの仕様に従って互いに接続される。ｅＮｏｄｅＢ１００と、保守監視制御装置５００とは、互いの間で通信するために互いに接続可能である。ｅＮｏｄｅＢ１００と、コアネットワーク７００とは、互いの間で通信するために互いに接続可能である。コアネットワーク７００は、例えば、ＥＰＣ（Ｅｖｏｌｖｅｄ  Ｐａｃｋｅｔ  Ｃｏｒｅ）である。
【００１６】
ＮｏｄｅＢ２００と、ＲＥ４００とは、互いの間で通信するために互いに接続可能である。例えば、ＮｏｄｅＢ２００と、ＲＥ４００とは、ＣＰＲＩの仕様に従って互いに接続される。ＮｏｄｅＢ２００と、コアネットワーク８００とは、互いの間で通信するために互いに接続可能である。コアネットワーク８００は、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）におけるコアネットワークである。なお、ＮｏｄｅＢ２００と、コアネットワーク８００とは、例えば、ＲＮＣ（Ｒａｄｉｏ  Ｎｅｔｗｏｒｋ  Ｃｏｎｔｒｏｌｌｅｒ）に接続されている。したがって、ＮｏｄｅＢ２００とコアネットワーク８００とは、例えば、ＲＮＣを介して通信可能である。ＮｏｄｅＢ２００と、保守監視制御装置６００とは、互いの間で通信するために互いに接続可能である。
【００１７】
コアネットワーク７００と、コアネットワーク８００とは、互いの間で通信するために互いに接続可能である。
【００１８】
共用ＲＥ３００は、例えば、ＬＴＥ（Ｌｏｎｇ  Ｔｅｒｍ  Ｅｖｏｌｕｔｉｏｎ）に基づく通信を行うシステムと、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）に基づく通信を行うシステム（以下、Ｗ−ＣＤＭＡシステムともいう）とで共用可能な無線通信装置である。例えば、共用ＲＥ３００は、ＲＲＨ（Ｒｅｍｏｔｅ  Ｒａｄｉｏ  Ｈｅａｄ）である。また、共用ＲＥ３００には、送信アンテナ３５０および送信アンテナ３６０が接続されている。そして、共用ＲＥ３００は、送信ダイバーシチ機能を有し、当該機能を活用して、送信アンテナ３５０および送信アンテナ３６０を介して信号を送信する。したがって、共用ＲＥ３００は、送信アンテナ３５０を介して送信される信号を処理するための送信増幅器等を含むモジュールと、送信アンテナ３６０を介して送信される信号を処理するための送信増幅器等を含むモジュールとを含む。そして、送信アンテナ３５０を介して送信される信号を処理する系統を０系といい、送信アンテナ３６０を介して送信される信号を処理する系統を１系という。
【００１９】
ＲＥ４００は、Ｗ−ＣＤＭＡシステムで使用される無線通信装置である。例えば、ＲＥ４００は、ＲＲＨである。また、ＲＥ４００には、送信アンテナ４５０および送信アンテナ４６０が接続されている。そして、ＲＥ４００は、送信ダイバーシチ機能を有し、当該機能を活用して、送信アンテナ４５０および送信アンテナ４６０を介して信号を送信する。したがって、ＲＥ４００は、送信アンテナ４５０を介して送信される信号を処理するための送信増幅器等を含むモジュールと、送信アンテナ４６０を介して送信される信号を処理するための送信増幅器等を含むモジュールとを含む。そして、送信アンテナ４５０を介して送信される信号を処理する系統を０系といい、送信アンテナ４６０を介して送信される信号を処理する系統を１系という。
【００２０】
通信装置９００と、共用ＲＥ３００およびＲＥ４００とは互いの間で通信するために互いに接続可能である。通信装置９００は、例えば、スマートフォンや携帯電話機等の通信装置である。例えば、通信装置９００は、共用ＲＥ３００から送信された信号を受信する。また、例えば、通信装置９００は、ＲＥ４００から送信された信号を受信する。
【００２１】
図２は、ｅＮｏｄｅＢ１００の構成例を示すブロック図である。図２に示すように、ｅＮｏｄｅＢ１００は、ベースバンド処理部１１０と、データ多重処理部１２０と、監視部１３０とを含む。
【００２２】
ベースバンド処理部１１０は、コアネットワーク７００から入力されたデータに基づいて、送信データを生成する。具体的には、例えば、ベースバンド処理部１１０は、コアネットワーク７００から入力されたデータに基づいて、共用ＲＥ３００に接続された０系の送信アンテナ３５０から送信される信号に応じたデータ（以下、０系の送信データともいう）と、共用ＲＥ３００に接続された１系の送信アンテナ３６０から送信される信号に応じたデータ（以下、１系の送信データともいう）とを生成する。なお、ベースバンド処理部１１０は、例えば、通信装置９００が信号の位相や無線チャネルの伝搬状態等を推定するために使用する基準信号に関連するデータを含むように０系の送信データを生成する。
【００２３】
また、ベースバンド処理部１１０は、データ多重処理部１２０に、生成したデータを入力する。
【００２４】
データ多重処理部１２０は、ＮｏｄｅＢ２００から、送信データを受信する。
【００２５】
データ多重処理部１２０は、ＮｏｄｅＢ２００から受信したデータと、ベースバンド処理部１１０から入力された送信データとを多重する。
【００２６】
また、データ多重処理部１２０は、共用ＲＥ３００から、故障通知を受信可能なように構成されている。故障通知とは、例えば、共用ＲＥ３００に備えられた０系の送信増幅器３３０の故障に関する情報である。
【００２７】
データ多重処理部１２０は、故障通知を受信した場合に、監視部１３０に故障通知を入力する。
【００２８】
データ多重処理部１２０は、故障通知を受信した場合に、ＮｏｄｅＢ２００に故障通知を送信する。
【００２９】
データ多重処理部１２０には、監視部１３０から、入替指示が入力される。入替指示とは、例えば、０系の送信データと、１系の送信データとを入れ替えることを指示する情報である。
【００３０】
データ多重処理部１２０は、入替指示が入力された場合に、監視部１３０から入力された入替指示に基づき、ベースバンド処理部１１０から入力された送信データを入れ替えて多重する。例えば、データ多重処理部１２０は、入替指示に基づき、０系の送信データが１系の送信アンテナ３６０から送信されるようにデータを入れ替える。具体的には、例えば、データ多重処理部１２０は、入替指示に基づき、ＣＰＲＩのデータフレーム構成のうちの０系の送信データ用のフィールド（以下、０系フィールドともいう）に、１系の送信データを挿入する。また、例えば、データ多重処理部１２０は、入替指示が入力された場合に、入替指示に基づき、ＣＰＲＩのデータフレーム構成のうちの１系の送信データ用のフィールド（以下、１系フィールドともいう）に、０系の送信データを挿入する。
【００３１】
そして、具体的には、例えば、データ多重処理部１２０は、入替指示が入力された場合に、データフレームにおいて０系フィールドに挿入した１系の送信データとＮｏｄｅＢ２００から受信したデータフレームにおいて０系フィールドに挿入されている送信データとを多重する。また、データ多重処理部１２０は、データフレームにおいて１系フィールドに挿入した０系の送信データとＮｏｄｅＢ２００から受信したデータフレームにおいて１系フィールドに挿入されている送信データとを多重する。
【００３２】
データ多重処理部１２０は、共用ＲＥ３００に、多重したデータを送信（供給）する。
【００３３】
監視部１３０には、データ多重処理部１２０から、故障通知が入力される。
【００３４】
監視部１３０は、故障通知によって示されている内容を確認し、故障通知によって示されている内容が送信増幅器の故障に関する内容であるか否かを判断する。
【００３５】
監視部１３０は、故障通知によって示されている内容が送信増幅器の故障に関する内容であると判断した場合に、故障通知によって示されている内容が０系の送信増幅器３３０の故障に関する内容であるか否かを判断する。
【００３６】
監視部１３０は、故障通知によって示されている内容が０系の送信増幅器３３０の故障に関する内容であると判断した場合に、データ多重処理部１２０に、入替指示を入力する。
【００３７】
監視部１３０は、保守監視制御装置５００から入替指示を受信した場合に、データ多重処理部１２０に、受信した入替指示を入力する。
【００３８】
監視部１３０は、保守監視制御装置５００に、故障通知と入替状態通知とを送信するように構成されている。入替状態通知とは、例えば、送信データの入替状態を示す情報である。具体的には、例えば、入替状態通知は、送信データの入れ替えを行っていることを示したりする。また、入替状態通知は、例えば、現在、０系の送信アンテナ３５０および１系の送信アンテナ３６０から送信されているデータを示したりする。例えば、送信データの入れ替えが行われている場合には、入替状態通知は、０系の送信アンテナ３５０から１系の送信データが送信されていることを示すように生成される。また、例えば、送信データの入れ替えが行われていない場合には、０系の送信アンテナ３５０から０系の送信データが送信されており、１系の送信アンテナ３６０から１系の送信データが送信されていることを示すように生成される。
【００３９】
なお、ベースバンド処理部１１０は、例えば、プログラム制御に従って処理を実行するＣＰＵ（Ｃｅｎｔｒａｌ  Ｐｒｏｃｅｓｓｉｎｇ  Ｕｎｉｔ）や複数の回路等によって実現される。
【００４０】
また、データ多重処理部１２０は、例えば、プログラム制御に従って処理を実行するＣＰＵや複数の回路、送信ユニット、受信ユニット等によって実現される。
【００４１】
また、監視部１３０は、例えば、プログラム制御に従って処理を実行するＣＰＵや複数の回路等によって実現される。
【００４２】
図３は、ＮｏｄｅＢ２００の構成例を示すブロック図である。図３に示すように、ＮｏｄｅＢ２００は、ベースバンド処理部２１０と、データ多重処理部２２０と、監視部２３０とを含む。
【００４３】
ベースバンド処理部２１０は、コアネットワーク８００から入力されたデータに基づいて、送信データを生成する。具体的には、例えば、ベースバンド処理部２１０は、コアネットワーク８００から入力されたデータに基づいて、０系の送信データと、１系の送信データとを生成する。なお、ベースバンド処理部２１０は、通信装置９００が信号の位相や無線チャネルの伝搬状態等を推定するために使用する基準信号に関連するデータを含むように０系の送信データを生成する。
【００４４】
また、ベースバンド処理部２１０は、データ多重処理部２２０に、生成したデータを入力する。
【００４５】
データ多重処理部２２０は、ベースバンド処理部２１０から入力された送信データを多重する。
【００４６】
データ多重処理部２２０は、ｅＮｏｄｅＢ１００から、故障通知を受信するように構成されている。故障通知とは、例えば、共用ＲＥ３００に備えられた０系の送信増幅器の故障に関する情報である。
【００４７】
データ多重処理部２２０は、故障通知を受信した場合に、監視部２３０に、故障通知を入力する。
【００４８】
データ多重処理部２２０には、監視部２３０から、入替指示が入力される。入替指示は、例えば、０系の送信データと、１系の送信データとを入れ替えることを指示する情報である。
【００４９】
データ多重処理部２２０は、入替指示が入力された場合に、監視部２３０から入力された入替指示に基づき、ベースバンド処理部２１０から入力された送信データを入れ替えて多重する。例えば、データ多重処理部２２０は、入替指示に基づき、０系の送信データが１系の送信アンテナ３６０から送信されるようにデータを入れ替える。具体的には、例えば、データ多重処理部２２０は、入替指示に基づき、０系フィールドに、１系の送信データを挿入する。また、例えば、データ多重処理部２２０は、入替指示に基づき、１系フィールドに、０系の送信データを挿入する。
【００５０】
データ多重処理部２２０は、ｅＮｏｄｅＢ１００に、多重したデータを送信（供給）する。
【００５１】
監視部２３０には、データ多重処理部２２０から、故障通知が入力される。
【００５２】
監視部２３０は、故障通知によって示されている内容を確認し、故障通知によって示されている内容が送信増幅器の故障に関する内容であるか否かを判断する。
【００５３】
監視部２３０は、故障通知によって示されている内容が送信増幅器の故障に関する内容であると判断した場合に、故障通知によって示されている内容が０系の送信増幅器の故障に関する内容であるか否かを判断する。
【００５４】
監視部２３０は、故障通知によって示されている内容が０系の送信増幅器の故障に関する内容であると判断した場合に、データ多重処理部２２０に、入替指示を入力する。
【００５５】
監視部２３０は、保守監視制御装置６００から入替指示を受信した場合に、データ多重処理部２２０に、受信した入替指示を入力する。
【００５６】
監視部２３０は、保守監視制御装置６００に、故障通知と入替状態通知とを送信するように構成されている。
【００５７】
なお、ベースバンド処理部２１０は、例えば、プログラム制御に従って処理を実行するＣＰＵや複数の回路等によって実現される。
【００５８】
また、データ多重処理部２２０は、例えば、プログラム制御に従って処理を実行するＣＰＵや複数の回路、送信ユニット、受信ユニット等によって実現される。
【００５９】
また、監視部２３０は、例えば、プログラム制御に従って処理を実行するＣＰＵや複数の回路等によって実現される。
【００６０】
図４は、共用ＲＥ３００の構成例を示すブロック図である。図４に示すように、共用ＲＥ３００は、データ処理部３１０と、監視部３２０と、０系の送信増幅器３３０と、１系の送信増幅器３４０とを含む。また、共用ＲＥ３００には、０系の送信アンテナ３５０と、１系の送信アンテナ３６０とが接続されている。
【００６１】
データ処理部３１０は、ｅＮｏｄｅＢ１００から送信されたデータを受信する。具体的には、例えば、データ処理部３１０は、ｅＮｏｄｅＢ１００のデータ多重処理部１２０によって多重されたデータを受信する。
【００６２】
データ処理部３１０は、受信したデータのうち、０系の送信データに基づき搬送波を変調し、変調後の搬送波を送信増幅器３３０に入力する。具体的には、例えば、データ処理部３１０は、受信したデータのうち、０系フィールドに挿入されているデータに基づき搬送波を変調し、変調後の搬送波を送信増幅器３３０に入力する。
【００６３】
データ処理部３１０は、受信したデータのうち、１系の送信データに基づき搬送波を変調し、変調後の搬送波を送信増幅器３４０に入力する。具体的には、例えば、データ処理部３１０は、受信したデータのうち、１系フィールドに挿入されているデータに基づき搬送波を変調し、変調後の搬送波を送信増幅器３４０に入力する。
【００６４】
監視部３２０は、共用ＲＥ３００の稼働状態を監視する。例えば、監視部３２０は、０系の送信増幅器３３０の稼働状態および１系の送信増幅器３４０の稼働状態を監視して、０系の送信増幅器３３０または１系の送信増幅器３４０が故障しているか否かを判断する。具体的には、例えば、監視部３２０は、０系の送信アンテナ３５０に接続されている送信増幅器３３０の出力電力値を監視し、送信増幅器３３０の出力電力値が所定の閾値以下となった場合に、送信増幅器３３０が故障していると判断する。また、例えば、監視部３２０は、１系の送信アンテナ３６０に接続されている送信増幅器３４０の出力電力値を監視し、送信増幅器３４０の出力電力値が所定の閾値以下となった場合に、送信増幅器３４０が故障していると判断する。
【００６５】
監視部３２０は、０系の送信増幅器３３０または１系の送信増幅器３４０が故障していると判断した場合に、ｅＮｏｄｅＢ１００に、０系の送信増幅器３３０または１系の送信増幅器３４０が故障していることを示す故障通知を送信する。具体的には、例えば、監視部３２０は、送信増幅器３３０が故障していると判断した場合に、ｅＮｏｄｅＢ１００に、送信増幅器３３０が故障していることを示す故障通知を送信する。
【００６６】
送信増幅器３３０は、データ処理部３１０から入力された変調後の搬送波を増幅し、送信アンテナ３５０に入力する。具体的には、例えば、送信増幅器３３０は、０系の送信データに基づき変調された搬送波を増幅し、送信アンテナ３５０に入力する。
【００６７】
送信増幅器３４０は、データ処理部３１０から入力された変調後の搬送波を増幅し、送信アンテナ３６０に入力する。具体的には、例えば、送信増幅器３４０は、１系の送信データに基づき変調された搬送波を増幅し、送信アンテナ３６０に入力する。
【００６８】
なお、データ処理部３１０は、例えば、プログラム制御に従って処理を実行するＣＰＵや複数の回路、受信ユニット等によって実現される。
【００６９】
また、監視部３２０は、例えば、プログラム制御に従って処理を実行するＣＰＵや複数の回路、送信ユニット等によって実現される。
【００７０】
共用ＲＥ３００に接続された送信アンテナ３５０は、０系の送信増幅器３３０に接続されており、０系の送信増幅器３３０によって増幅された変調後の搬送波は、送信アンテナ３５０から送信される。
【００７１】
共用ＲＥ３００に接続された送信アンテナ３６０は、１系の送信増幅器３４０に接続されており、１系の送信増幅器３４０によって増幅された変調後の搬送波は、送信アンテナ３６０から送信される。
【００７２】
共用ＲＥ３００の送信ダイバーシチ機能は、データ処理部３１０、送信増幅器３３０、送信増幅器３４０、送信アンテナ３５０および送信アンテナ３６０によって実現される。
【００７３】
図５は、保守監視制御装置５００の構成例を示すブロック図である。図５に示すように、保守監視制御装置５００は、監視制御部５１０を含む。
【００７４】
監視制御部５１０は、ｅＮｏｄｅＢ１００に入替指示を送信する。例えば、共用ＲＥ３００が故障した場合に、監視制御部５１０には、ｅＮｏｄｅＢ１００の管理者によって入替指示が入力される。そして、監視制御部５１０は、ｅＮｏｄｅＢ１００に、入力された入替指示を送信する。
【００７５】
また、監視制御部５１０は、ｅＮｏｄｅＢ１００から、故障通知と入替状態通知とを受信するように構成されている。
【００７６】
なお、監視制御部５１０は、例えば、プログラム制御に従って処理を実行するＣＰＵや複数の回路、送信ユニット、受信ユニット等によって実現される。
【００７７】
図６は、保守監視制御装置６００の構成例を示すブロック図である。図６に示すように、保守監視制御装置６００は、監視制御部６１０を含む。
【００７８】
監視制御部６１０は、ＮｏｄｅＢ２００に入替指示を送信する。例えば、共用ＲＥ３００が故障した場合に、監視制御部６１０には、ＮｏｄｅＢ２００の管理者によって入替指示が入力される。そして、監視制御部６１０は、ＮｏｄｅＢ２００に、入力された入替指示を送信する。
【００７９】
また、監視制御部６１０は、ＮｏｄｅＢ２００から、故障通知と入替状態通知とを受信するように構成されている。
【００８０】
なお、監視制御部６１０は、例えば、プログラム制御に従って処理を実行するＣＰＵや複数の回路、送信ユニット、受信ユニット等によって実現される。
【００８１】
データ処理手段は、ｅＮｏｄｅＢ１００またはＮｏｄｅＢ２００に相当する。
【００８２】
次に、第１の実施形態の通信システム１の動作について説明する。
【００８３】
図７は、共用ＲＥ３００が実行する故障検出処理を示すフローチャートである。
【００８４】
共用ＲＥ３００の監視部３２０は、共用ＲＥ３００の稼働状態を監視し、０系の送信増幅器３３０または１系の送信増幅器３４０が故障しているか否かを判断する（ステップＳ１０１）。
【００８５】
監視部３２０は、０系の送信増幅器３３０または１系の送信増幅器３４０が故障していると判断した場合に（ステップＳ１０１のＹ）、ｅＮｏｄｅＢ１００に、０系の送信増幅器３３０が故障していることを示す故障通知または１系の送信増幅器３４０が故障していることを示す故障通知を送信する（ステップＳ１０２）。
【００８６】
なお、監視部３２０は、０系の送信増幅器３３０および１系の送信増幅器３４０のいずれも故障していないと判断した場合に（ステップＳ１０１のＮ）、共用ＲＥ３００の稼働状態の監視を継続する。
【００８７】
図８は、ｅＮｏｄｅＢ１００が実行するデータの入替処理を示すフローチャートである。
【００８８】
ｅＮｏｄｅＢ１００のベースバンド処理部１１０は、コアネットワーク７００から入力されたデータに基づいて、送信データを生成する（ステップＳ２０１）。
【００８９】
ｅＮｏｄｅＢ１００のデータ多重処理部１２０は、共用ＲＥ３００から、故障通知を受信した場合に（ステップＳ２０２のＹ）、監視部１３０に、故障通知を入力する。
【００９０】
監視部１３０は、故障通知によって示されている内容を確認し、故障通知によって示されている内容が送信増幅器の故障に関する内容であるか否かを判断する（ステップＳ２０３）。
【００９１】
監視部１３０は、故障通知によって示されている内容が送信増幅器の故障に関する内容であると判断した場合に（ステップＳ２０３のＹ）、故障通知によって示されている内容が０系の送信増幅器３３０の故障に関する内容であるか否かを判断する（ステップＳ２０４）。
【００９２】
監視部１３０は、故障通知によって示されている内容が０系の送信増幅器３３０の故障に関する内容であると判断した場合に（ステップＳ２０４のＹ）、データ多重処理部１２０に、入替指示を入力する（ステップＳ２０５）。
【００９３】
データ多重処理部１２０は、監視部１３０から入力された入替指示に基づき、ベースバンド処理部１１０から入力された送信データを入れ替える（ステップＳ２０６）。具体的には、データ多重処理部１２０は、ステップＳ２０６の処理で、データフレームにおいて１系フィールドに挿入された０系の送信データとＮｏｄｅＢ２００から受信したデータフレームにおいて１系フィールドに挿入された送信データとを多重し、ステップＳ２０８の処理に移行する。
【００９４】
データ多重処理部１２０が共用ＲＥ３００から故障通知を受信しなかった場合（ステップＳ２０２のＮ）、監視部１３０が、故障通知によって示されている内容が送信増幅器の故障に関する内容でないと判断した場合（ステップＳ２０３のＮ）、または監視部１３０が、故障通知によって示されている内容が０系の送信増幅器３３０の故障に関する内容でないと判断した場合に（ステップＳ２０４のＮ）、データ多重処理部１２０は送信データを入れ替えずに多重し（ステップＳ２０７）、ステップＳ２０８の処理に移行する。なお、故障通知によって示される内容が０系の送信増幅器３３０の故障に関する内容でない場合は、例えば、故障通知によって示される内容が１系の送信増幅器３４０の故障に関する内容である場合である。また、例えば、監視部１３０が、故障通知によって示されている内容が０系の送信増幅器３３０の故障に関する内容でないと判断した場合に、データ多重処理部１２０は、０系フィールドに０系の送信データを挿入する。
【００９５】
そして、データ多重処理部１２０は、ステップＳ２０８の処理で、共用ＲＥ３００に、多重したデータを送信する（ステップＳ２０８）。
【００９６】
なお、監視部１３０は、保守監視制御装置５００に、故障通知と入替状態通知とを送信する。
【００９７】
図９は、ＮｏｄｅＢ２００が実行するデータの入替処理を示すフローチャートである。
【００９８】
ＮｏｄｅＢ２００のベースバンド処理部２１０は、コアネットワーク８００から入力されたデータに基づいて、送信データを生成する（ステップＳ３０１）。
【００９９】
ＮｏｄｅＢ２００のデータ多重処理部２２０は、ｅＮｏｄｅＢ１００のデータ多重処理部１２０から、故障通知を受信した場合に（ステップＳ３０２のＹ）、ＮｏｄｅＢ２００の監視部２３０に、故障通知を入力する。
【０１００】
監視部２３０は、故障通知によって示されている内容を確認し、故障通知によって示されている内容が送信増幅器の故障に関する内容であるか否かを判断する（ステップＳ３０３）。
【０１０１】
監視部２３０は、故障通知によって示されている内容が送信増幅器の故障に関する内容であると判断した場合に（ステップＳ３０３のＹ）、故障通知によって示されている内容が０系の送信増幅器３３０の故障に関する内容であるか否かを判断する（ステップＳ３０４）。
【０１０２】
監視部２３０は、故障通知によって示されている内容が０系の送信増幅器３３０の故障に関する内容であると判断した場合に（ステップＳ３０４のＹ）、データ多重処理部２２０に、入替指示を入力する（ステップＳ３０５）。
【０１０３】
データ多重処理部２２０は、監視部２３０から入力された入替指示に基づき、ベースバンド処理部２１０から入力されたデータを入れ替えて多重し（ステップＳ３０６）、ステップＳ３０８の処理に移行する。
【０１０４】
データ多重処理部２２０がｅＮｏｄｅＢ１００から故障通知を受信しなかった場合（ステップＳ３０２のＮ）、監視部２３０が、故障通知によって示されている内容が送信増幅器の故障に関する内容でないと判断した場合（ステップＳ３０３のＮ）、または監視部２３０が、故障通知によって示されている内容が０系の送信増幅器３３０の故障に関する内容でないと判断した場合に（ステップＳ３０４のＮ）、データ多重処理部２２０は送信データを入れ替えずに多重し（ステップＳ３０７）、ステップＳ３０８の処理に移行する。例えば、監視部２３０が、故障通知によって示されている内容が０系の送信増幅器３３０の故障に関する内容でないと判断した場合に、データ多重処理部２２０は、０系フィールドに０系の送信データを挿入する。
【０１０５】
そして、データ多重処理部２２０は、ステップＳ３０８の処理で、ｅＮｏｄｅＢ１００に、多重したデータを送信する（ステップＳ３０８）。
【０１０６】
なお、監視部２３０は、保守監視制御装置６００に、故障通知と入替状態通知とを送信する。
【０１０７】
図１０は、共用ＲＥ３００が実行するデータの送信処理を示すフローチャートである。なお、本例では、０系の送信増幅器３３０が故障しているとして、共用ＲＥ３００が実行するデータの送信処理について説明する。
【０１０８】
共用ＲＥ３００のデータ処理部３１０は、ｅＮｏｄｅＢ１００から送信されたデータを受信する（ステップＳ４０１）。具体的には、例えば、データ処理部３１０は、ｅＮｏｄｅＢ１００のデータ多重処理部１２０によって多重されたデータを受信する。
【０１０９】
データ処理部３１０は、受信したデータのうち、１系フィールドに挿入された０系の送信データに基づき搬送波を変調し、変調後の搬送波を１系の送信増幅器３４０に入力する（ステップＳ４０２）。
【０１１０】
１系の送信増幅器３４０は、入力された変調後の搬送波を増幅する（ステップＳ４０３）。
【０１１１】
増幅された変調後の搬送波は、１系の送信アンテナ３６０から送信される（ステップＳ４０４）。本例では、１系フィールドに挿入された０系の送信データに基づき変調された搬送波は、１系の送信アンテナ３６０から送信される。
【０１１２】
本実施形態によれば、ｅＮｏｄｅＢ１００は、例えば、共用ＲＥ３００の一部である０系の送信増幅器３３０が故障した場合に、共用ＲＥ３００から送信された故障通知に基づき、０系の送信データが１系の送信アンテナ３６０から送信されるようにデータを入れ替える。また、ＮｏｄｅＢ２００は、例えば、共用ＲＥ３００の一部である０系の送信増幅器３３０が故障した場合に、ｅＮｏｄｅＢ１００から送信された故障通知に基づき、０系の送信データが１系の送信アンテナ３６０から送信されるようにデータを入れ替える。ＮｏｄｅＢ２００は、ｅＮｏｄｅＢ１００に、入れ替えたデータを送信する。また、ｅＮｏｄｅＢ１００は、入れ替えたデータと、ＮｏｄｅＢ２００から受信したデータとを多重し、共用ＲＥ３００に、多重されたデータを送信する。
【０１１３】
そして、共用ＲＥ３００は、受信したデータに基づき、変調処理および増幅処理を実行し、生成された搬送波を送信する。
【０１１４】
したがって、例えば、０系の送信アンテナ３５０を用いて信号の送信ができない場合であっても、０系の送信データが、１系の送信アンテナ３６０から送信されるので、０系の送信増幅器３３０が故障した後も、通信システム１は信号の送信を継続させることができる。すなわち、０系の送信増幅器３３０が故障した後も、信号の位相や無線チャネルの伝搬状態等を推定するために必要となる基準信号が１系の送信アンテナ３６０から送信されるので、スマートフォンや携帯電話機等の通信装置における通信処理に影響を及ぼすことなく、携帯電話通信システムの運用が継続されることになる。よって、通信システム１は、携帯電話機等の通信装置と通信を行う無線通信装置（例えば、共用ＲＥ３００）の一部が故障した場合にも、残部によって通信処理を継続することができる。
【０１１５】
例えば、ＶｏＬＴＥ（Ｖｏｉｃｅ  ｏｖｅｒ  ＬＴＥ）に対応していない携帯電話機等の通信装置は、音声発着信時には、３Ｇシステムを用いた通信方式に切り替えるＣＳ（Ｃｉｒｃｕｉｔ  Ｓｗｉｔｃｈｅｄ）  ＦａｌｌＢａｃｋという機能を備えている。本実施形態によれば、共用ＲＥ３００の送信増幅器３３０が故障した場合に、０系の送信データは１系の送信系統から送信されるので、ＶｏＬＴＥに対応していない通信装置は１系の送信アンテナ３６０から送信された基準信号を受信することができ、音声発着信に関する処理を継続することができる。
【０１１６】
また、本実施形態によれば、ｅＮｏｄｅＢ１００は、ＮｏｄｅＢ２００に、共用ＲＥ３００から受信した故障通知を送信する。そして、ＮｏｄｅＢ２００は、当該故障通知に基づき、送信データを入れ替える。したがって、保守監視制御装置６００から入替指示が送信される場合に比べ、ＮｏｄｅＢ２００は、０系の送信データと１系の送信データとを迅速に入れ替えることができ、共用ＲＥ３００の故障に迅速に対応することができる。また、ＮｏｄｅＢ２００の管理者によって、保守監視制御装置６００に入替指示が入力される必要がなくなり、管理者の負担を軽減することができる。
【０１１７】
なお、データ多重処理部１２０は、入替指示が入力された場合に、０系フィールドに、１系の送信データを挿入せずに、１系の送信データを破棄するように構成されていてもよい。この場合に、データ多重処理部１２０は、０系フィールドにヌル値を挿入するように構成されていてもよい。そして、データ多重処理部１２０は、共用ＲＥ３００に、１系フィールドに挿入された０系の送信データおよび０系フィールドに挿入されたヌル値を送信する。共用ＲＥ３００は、１系の送信アンテナ３６０を用いて０系の送信データに基づき変調を施した搬送波を送信するが、０系の送信アンテナ３５０を用いて１系の送信データに基づき変調を施した搬送波は送信しない。このような構成によれば、１系の送信データに対する処理が実行されないので、データ多重処理部１２０の処理負荷を軽減することができる。
【０１１８】
同様に、データ多重処理部２２０は、入替指示が入力された場合に、０系フィールドに、１系の送信データを挿入せずに、１系の送信データを破棄するように構成されていてもよい。この場合に、データ多重処理部１２０は、０系フィールドにヌル値を挿入するように構成されていてもよい。そして、データ多重処理部２２０は、ｅＮｏｄｅＢ１００に、１系フィールドに挿入された０系の送信データおよび０系フィールドに挿入されたヌル値を送信する。ｅＮｏｄｅＢ１００は、データフレームにおいて１系フィールドに挿入された０系の送信データとＮｏｄｅＢ２００から受信したデータフレームにおいて１系フィールドに挿入された０系の送信データとを多重する。このような構成によれば、１系の送信データに対する処理が実行されないので、データ多重処理部２２０の処理負荷を軽減することができる。
【０１１９】
また、ｅＮｏｄｅＢ１００の監視部１３０は、ベースバンド処理部１１０に、入替指示を入力するように構成されていてもよい。そして、ベースバンド処理部１１０は、当該入替指示に基づき、データを生成するように構成されていてもよい。具体的には、例えば、ベースバンド処理部１１０は、０系の送信データを生成する場合に、０系の送信データに１系の送信アンテナ３６０から送信することを指示する入替情報を付加する。そして、データ多重処理部１２０は、入替情報に基づき、０系の送信データを、１系フィールドに挿入する。また、ベースバンド処理部１１０は、監視部１３０から入替指示が入力された場合に、１系の送信データを生成しないように構成されていてもよい。ＮｏｄｅＢ２００の監視部２３０も、ｅＮｏｄｅＢ１００の場合と同様に、ベースバンド処理部１１０に、入替指示を入力するように構成されていてもよい。そして、ＮｏｄｅＢ２００のベースバンド処理部２１０およびデータ多重処理部２２０もｅＮｏｄｅＢ１００のベースバンド処理部１１０およびデータ多重処理部２２０と同様の処理を実行するように構成されていてもよい。
【０１２０】
また、共用ＲＥ３００の監視部３２０は、送信増幅器３３０が故障状態から正常状態になったことを検出し、ｅＮｏｄｅＢ１００に、送信増幅器３３０が故障状態から正常状態になったことを示す復旧情報を送信するように構成されていてもよい。監視部３２０は、例えば、０系の送信増幅器３３０の出力電力値を監視し、送信増幅器３３０の出力電力値が所定の閾値より大きくなった場合に、０系の送信増幅器３３０が正常状態になったと判断する。また、ｅＮｏｄｅＢ１００は、ＮｏｄｅＢ２００に受信した復旧情報を送信するように構成されていてもよい。
【０１２１】
ｅＮｏｄｅＢ１００の監視部１３０およびＮｏｄｅＢ２００の監視部２３０は、復旧情報に基づき、入れ替えた送信データを元に戻すことを指示する復旧指示をそれぞれのデータ多重処理部に入力する。そして、ｅＮｏｄｅＢ１００のデータ多重処理部１２０およびＮｏｄｅＢ２００のデータ多重処理部２２０は、入力された復旧指示に基づき、０系フィールドに０系の送信データを挿入し、１系フィールドに１系の送信データを挿入する。このような構成によれば、送信増幅器３３０が正常状態になった場合に、ｅＮｏｄｅＢ１００およびＮｏｄｅＢ２００は、入れ替えた送信データを元に戻すことができる。したがって、保守監視制御装置５００および保守監視制御装置６００から復旧指示が送信される場合に比べ、ｅＮｏｄｅＢ１００およびＮｏｄｅＢ２００は、０系の送信データと１系の送信データとを迅速に入れ替えることができ、共用ＲＥ３００の復旧に迅速に対応することができる。
【０１２２】
また、ＮｏｄｅＢ２００の監視部２３０は、ｅＮｏｄｅＢ１００から受信した故障通知に基づくデータの入れ替え中に、保守監視制御装置６００から入替指示を受信した場合に、保守監視制御装置６００から受信した入替指示に基づくデータの入れ替えを実行しないように構成されていてもよい。この場合に、ＮｏｄｅＢ２００の監視部２３０は、ｅＮｏｄｅＢ１００から受信した故障通知に基づくデータの入れ替えを実行する。
【０１２３】
また、例えば、ＮｏｄｅＢ２００の監視部２３０は、保守監視制御装置６００から受信した入替指示に基づくデータの入れ替え中に、ｅＮｏｄｅＢ１００から故障通知を受信した場合に、保守監視制御装置６００から受信した入替指示に基づくデータの入れ替えが完了した後に、ｅＮｏｄｅＢ１００から受信した故障通知に基づくデータの入れ替えを実行するように構成されていてもよい。
【０１２４】
具体的には、例えば、ＮｏｄｅＢ２００の監視部２３０は、保守監視制御装置６００から受信した入替指示に基づき、データを入れ替える。保守監視制御装置６００から受信した入替指示に基づくデータの入れ替え中に、ｅＮｏｄｅＢ１００から故障通知を受信し、当該故障通知が０系の送信増幅器３３０が故障していることを示す場合に、監視部２３０は、ｅＮｏｄｅＢ１００から受信した故障通知に基づく入替指示の内容が、保守監視制御装置６００から受信した入替指示の内容と同一であるか否かを判断する。例えば、保守監視制御装置６００から受信した入替指示およびｅＮｏｄｅＢ１００から受信した故障通知に基づく入替指示が、０系の送信データが１系の送信アンテナ３６０から送信されるように送信データを入れ替えることを指示する場合に、監視部２３０は、入替指示の内容が同一であると判断する。
【０１２５】
監視部２３０は、入替指示の内容が同一であると判断した場合に、ｅＮｏｄｅＢ１００から受信した故障通知に基づくデータの入れ替えを実行しない。
【０１２６】
また、監視部２３０は、入替指示の内容が同一でないと判断した場合に、保守監視制御装置６００から受信した入替指示に基づくデータの入れ替えを実行した後に、ｅＮｏｄｅＢ１００から受信した故障通知に基づくデータの入れ替えを実行する。具体的には、例えば、監視部２３０は、保守監視制御装置６００から受信した入替指示に基づき、０系の送信データが０系の送信アンテナ３５０から送信され、１系の送信データが１系の送信アンテナ３６０から送信されるようにデータの入れ替えを実行する。そして、当該データの入れ替えの実行中に、ｅＮｏｄｅＢ１００から、故障通知を受信した場合に、監視部２３０は、保守監視制御装置６００から受信した入替指示に基づくデータの入れ替えを実行した後に、ｅＮｏｄｅＢ１００から入力された故障通知に基づき、０系の送信データが１系の送信アンテナ３６０から送信されるようにデータの入れ替えを実行する。
【０１２７】
また、本実施形態では、０系の送信増幅器３３０が故障した場合の処理が示されたが、共用ＲＥ３００の基準信号を送信するための機能が故障した場合も、本実施形態と同様の処理が実行されるように構成されていてもよい。例えば、共用ＲＥ３００の監視部３２０は、０系の送信アンテナ３５０や、データ処理部３１０のうち０系の送信データを処理する処理部が故障しているか否かを監視するように構成されていてもよい。そして、監視部３２０は、０系の送信アンテナ３５０や、データ処理部３１０のうち０系の送信データを処理する処理部が故障していると判断した場合に、ｅＮｏｄｅＢ１００に、故障通知を送信する。
【０１２８】
また、本実施形態では、ｅＮｏｄｅＢ１００が、共用ＲＥ３００から故障通知を受信したが、ＮｏｄｅＢ２００が共用ＲＥ３００から故障通知を受信するように構成されていてもよい。この場合に、ＮｏｄｅＢ２００は、ｅＮｏｄｅＢ１００に、受信した故障通知を送信する。
【０１２９】
また、本実施形態では、ｅＮｏｄｅＢ１００とＮｏｄｅＢ２００との間の処理について示したが、他のＲＡＴ（Ｒａｄｉｏ  Ａｃｃｅｓｓ  Ｔｅｃｈｎｏｌｏｇｙ）を含む通信システムにおいて、本実施形態で示した処理が実行されるように構成されていてもよい。例えば、０系の送信増幅器３３０が故障したことを示す故障通知に基づき、０系の送信データが１系の送信アンテナ３６０から送信されるようにデータを自動的に入れ替えることのできるＲＡＴにおける基地局は、当該入れ替えが完了した後に、当該故障通知を、０系の送信データが１系の送信アンテナ３６０から送信されるようにデータを自動的に入れ替えることができないＲＡＴの基地局に送信するように構成されていてもよい。そして、自動的に入れ替えることができないＲＡＴの基地局は、故障通知に基づき、０系の送信データが１系の送信アンテナ３６０から送信されるようにデータを入れ替えるように構成されていてもよい。
【０１３０】
また、０系の送信データが１系の送信アンテナ３６０から送信されるようにデータを入れ替える処理速度（以下、処理速度ともいう）が互いに異なるＲＡＴを含む通信システムにおいて、本実施形態で示した処理が実行されるように構成されていてもよい。例えば、本実施形態におけるｅＮｏｄｅＢ１００の処理速度が、ＮｏｄｅＢ２００の処理速度よりも速い場合に、ｅＮｏｄｅＢ１００は、共用ＲＥ３００から送信された故障通知に基づくデータの入れ替えを実行し、当該入れ替えが完了した後に、ＮｏｄｅＢ２００に故障通知を送信するように構成されていてもよい。そして、ＮｏｄｅＢ２００は、ｅＮｏｄｅＢ１００から送信された故障通知に基づき、データの入れ替えを実行するように構成されていてもよい。
【０１３１】
また、ｅＮｏｄｅＢ１００の監視部１３０が、故障通知が示す内容が０系の送信増幅器３３０の故障に関する内容であると判断した場合に、ｅＮｏｄｅＢ１００のデータ多重処理部１２０は、ＮｏｄｅＢ２００に入替指示を送信するように構成されていてもよい。そして、ＮｏｄｅＢ２００の監視部２３０は、データ多重処理部２２０に、受信した入替指示を入力する。このような構成によれば、ｅＮｏｄｅＢ１００が０系の送信増幅器３３０が故障していると判断した場合に、ＮｏｄｅＢ２００に入替指示を送信し、ＮｏｄｅＢ２００は、故障通知の内容を判断することなく、データの入れ替え処理を実行できるので、ＮｏｄｅＢ２００の処理負荷を軽減することができる。
【０１３２】
また、データ処理部３１０は、受信したデータのうちの０系フィールドに挿入された１系の送信データに基づく変調処理を実行しないように構成されていてもよい。具体的には、例えば、データ処理部３１０は、監視部３２０から、０系の送信増幅器３３０が故障していることを示す故障通知が入力された場合に、０系フィールドに挿入された１系の送信データに基づく変調処理を実行しない。このような構成によれば、データ処理部３１０は、０系フィールドに挿入された１系の送信データに基づく変調処理を実行しないので、データ処理部３１０の処理負荷を軽減することができる。
【０１３３】
また、ｅＮｏｄｅＢ１００が共用ＲＥ３００を含むように構成されていてもよい。また、ＮｏｄｅＢ２００が共用ＲＥ３００を含むように構成されていてもよい。また、ｅＮｏｄｅＢ１００が、ＮｏｄｅＢ２００および共用ＲＥ３００を含むように構成されていてもよい。
【０１３４】
＜第２の実施形態＞
次に、第２の実施形態の通信システム２について、図面を参照して説明する。
【０１３５】
図１１は、第２の実施形態の通信システム２の構成例を示すブロック図である。通信システム２は、共用ＲＥ３００と、一体型基地局１０００とを含む点で、図１に示す第１の実施形態の通信システム１と異なる。その他の構成は、図１に示す第１の実施形態の通信システム１と同様なため、対応する構成には図１と同じ符号を付して説明を省略する。
【０１３６】
一体型基地局１０００と、共用ＲＥ３００とは、互いの間で通信するために互いに接続可能である。例えば、一体型基地局１０００と、共用ＲＥ３００とは、ＣＰＲＩの仕様に従って互いに接続される。一体型基地局１０００と、保守監視制御装置５００とは、互いの間で通信するため互いに接続可能である。一体型基地局１０００と、保守監視制御装置６００とは、互いの間で通信するため互いに接続可能である。一体型基地局１０００と、コアネットワーク７００とは、互いの間で通信するため互いに接続可能である。一体型基地局１０００と、コアネットワーク８００とは、互いの間で通信するため互いに接続可能である。共用ＲＥ３００と、通信装置９００とは互いの間で通信するため互いに接続可能である。通信装置９００は、例えば、スマートフォンや携帯電話機等の通信装置である。
【０１３７】
図１２は、一体型基地局１０００の構成例を示すブロック図である。図１２に示すように、一体型基地局１０００は、ｅＮｏｄｅＢ１１００と、ＮｏｄｅＢ１２００と、データ多重処理部１３００とを含む。
【０１３８】
ｅＮｏｄｅＢ１１００は、ベースバンド処理部１１１０と、監視部１１２０とを含む。
【０１３９】
ベースバンド処理部１１１０は、コアネットワーク７００から入力されたデータに基づいて、送信データを生成する。具体的には、例えば、ベースバンド処理部１１１０は、コアネットワーク７００から入力されたデータに基づいて、０系の送信データと、１系の送信データとを生成する。なお、ベースバンド処理部１１１０は、例えば、通信装置９００が信号の位相や無線チャネルの伝搬状態等を推定するために使用する基準信号に関連するデータを含むように０系の送信データを生成する。
【０１４０】
ベースバンド処理部１１１０には、監視部１１２０から入替指示が入力されるように構成されている。ベースバンド処理部１１１０は、監視部１１２０から入替指示が入力された場合に、入替指示に基づき、送信データを生成する。具体的には、例えば、ベースバンド処理部１１１０は、０系の送信データを生成する場合に、入替指示に基づき、０系の送信データに１系の送信アンテナ３６０から送信することを指示する入替情報を付加する。
【０１４１】
ベースバンド処理部１１１０は、データ多重処理部１３００に、生成した送信データを入力する。
【０１４２】
監視部１１２０は、共用ＲＥ３００から、故障通知を受信可能なように構成されている。
【０１４３】
監視部１１２０は、故障通知によって示されている内容を確認し、故障通知によって示されている内容が送信増幅器の故障に関する内容であるか否かを判断する。
【０１４４】
監視部１１２０は、故障通知によって示されている内容が送信増幅器の故障に関する内容であると判断した場合に、故障通知によって示されている内容が０系の送信増幅器３３０の故障に関する内容であるか否かを判断する。
【０１４５】
監視部１１２０は、故障通知によって示されている内容が０系の送信増幅器３３０の故障に関する内容であると判断した場合に、ｅＮｏｄｅＢ１１００のベースバンド処理部１１１０およびＮｏｄｅＢ１２００の監視部１２２０に、入替指示を入力する。
【０１４６】
監視部１１２０は、保守監視制御装置５００から入替指示を受信した場合に、ベースバンド処理部１１１０に、受信した入替指示を入力する。
【０１４７】
監視部１１２０は、保守監視制御装置５００に、故障通知と入替状態通知とを送信するように構成されている。
【０１４８】
ＮｏｄｅＢ１２００は、ベースバンド処理部１２１０と、監視部１２２０とを含む。
【０１４９】
ベースバンド処理部１２１０は、コアネットワーク８００から入力されたデータに基づいて、送信データを生成する。具体的には、例えば、ベースバンド処理部１２１０は、コアネットワーク８００から入力されたデータに基づいて、０系の送信データと、１系の送信データとを生成する。なお、ベースバンド処理部１２１０は、通信装置９００が信号の位相や無線チャネルの伝搬状態等を推定するために使用する基準信号に関連するデータを含むように０系の送信データを生成する。
【０１５０】
ベースバンド処理部１２１０には、監視部１２２０から入替指示が入力されるように構成されている。
【０１５１】
ベースバンド処理部１２１０は、監視部１２２０から入替指示が入力された場合に、入替指示に基づき、送信データを生成する。具体的には、例えば、ベースバンド処理部１２１０は、０系の送信データを生成する場合に、入替指示に基づき、０系の送信データに入替情報を付加する。
【０１５２】
ベースバンド処理部１２１０は、データ多重処理部１３００に、生成した送信データを入力する。
【０１５３】
監視部１２２０は、共用ＲＥ３００から、故障通知を受信可能なように構成されている。
【０１５４】
監視部１２２０には、ｅＮｏｄｅＢ１１００の監視部１１２０から、入替指示が入力されるように構成されている。
【０１５５】
監視部１２２０は、ｅＮｏｄｅＢ１１００の監視部１１２０から入替指示が入力された場合に、０系の送信増幅器３３０が故障していると判断し、ベースバンド処理部１２１０に、当該入替指示を入力する。
【０１５６】
監視部１２２０は、保守監視制御装置６００から入替指示を受信した場合に、ベースバンド処理部１２１０に、受信した入替指示を入力する。
【０１５７】
監視部１２２０は、保守監視制御装置６００に、故障通知と入替状態通知とを送信するように構成されている。
【０１５８】
データ多重処理部１３００には、ｅＮｏｄｅＢ１１００のベースバンド処理部１１１０およびＮｏｄｅＢ１２００のベースバンド処理部１２１０からデータが入力される。
【０１５９】
データ多重処理部１３００は、ｅＮｏｄｅＢ１１００のベースバンド処理部１１１０から入力された送信データと、ＮｏｄｅＢ１２００のベースバンド処理部１２１０から入力された送信データとを多重する。具体的には、例えば、データ多重処理部１３００は、ｅＮｏｄｅＢ１１００のベースバンド処理部１１１０から入力された０系の送信データと、ＮｏｄｅＢ１２００のベースバンド処理部１２１０から入力された０系の送信データとを０系フィールドに挿入する。また、例えば、データ多重処理部１３００は、ｅＮｏｄｅＢ１１００のベースバンド処理部１１１０から入力された１系の送信データと、ＮｏｄｅＢ１２００のベースバンド処理部１２１０から入力された１系の送信データとを１系フィールドに挿入する。
【０１６０】
データ多重処理部１３００は、ｅＮｏｄｅＢ１１００のベースバンド処理部１１１０およびＮｏｄｅＢ１２００のベースバンド処理部１２１０から入力されたデータに入替情報が付加されている場合に、入替情報に基づき、当該入力されたデータを入れ替えて多重する。例えば、データ多重処理部１３００は、入替情報に基づき、０系の送信データが１系の送信アンテナ３６０から送信されるようにデータを入れ替える。具体的には、例えば、データ多重処理部１３００は、入替情報に基づき、０系フィールドに、ｅＮｏｄｅＢ１１００のベースバンド処理部１１１０から入力された１系の送信データを挿入する。また、例えば、データ多重処理部１３００は、入替情報に基づき、１系フィールドに、ｅＮｏｄｅＢ１１００のベースバンド処理部１１１０から入力された０系の送信データを挿入する。また、具体的には、例えば、データ多重処理部１３００は、入替情報に基づき、０系フィールドに、ＮｏｄｅＢ１２００のベースバンド処理部１２１０から入力された１系の送信データを挿入する。また、例えば、データ多重処理部１３００は、入替情報に基づき、１系フィールドに、ＮｏｄｅＢ１２００のベースバンド処理部１２１０から入力された０系の送信データを挿入する。
【０１６１】
データ多重処理部１３００は、共用ＲＥ３００に、多重したデータを送信する。
【０１６２】
なお、ベースバンド処理部１１１０は、例えば、プログラム制御に従って処理を実行するＣＰＵや複数の回路等によって実現される。
【０１６３】
また、監視部１１２０は、例えば、プログラム制御に従って処理を実行するＣＰＵや複数の回路等によって実現される。
【０１６４】
また、ベースバンド処理部１２１０は、例えば、プログラム制御に従って処理を実行するＣＰＵや複数の回路等によって実現される。
【０１６５】
また、監視部１２２０は、例えば、プログラム制御に従って処理を実行するＣＰＵや複数の回路等によって実現される。
【０１６６】
また、データ多重処理部１３００は、例えば、プログラム制御に従って処理を実行するＣＰＵや複数の回路、送信ユニット、受信ユニット等によって実現される。
【０１６７】
次に、第２の実施形態の通信システム２の動作について説明する。なお、共用ＲＥ３００が実行する故障検出処理は第１の実施形態の処理と同様であるので説明を省略する。
【０１６８】
図１３は、一体型基地局１０００が実行するデータの入替処理を示すフローチャートである。
【０１６９】
ｅＮｏｄｅＢ１１００の監視部１１２０は、共用ＲＥ３００から、故障通知を受信した場合に（ステップＳ５０１のＹ）、入力された故障通知によって示されている内容を確認する（ステップＳ５０２）。監視部１１２０は、故障通知によって示されている内容が送信増幅器の故障に関する内容であるか否かを判断する（ステップＳ５０２）。
【０１７０】
監視部１１２０は、故障通知によって示されている内容が送信増幅器の故障に関する内容であると判断した場合に（ステップＳ５０２のＹ）、故障通知によって示されている内容が０系の送信増幅器３３０の故障に関する内容であるか否かを判断する（ステップＳ５０３）。
【０１７１】
監視部１１２０は、故障通知によって示されている内容が０系の送信増幅器３３０の故障に関する内容であると判断した場合に（ステップＳ５０３のＹ）、ｅＮｏｄｅＢ１１００のベースバンド処理部１１１０およびＮｏｄｅＢ１２００の監視部１２２０に、入替指示を入力する（ステップＳ５０４）。
【０１７２】
ｅＮｏｄｅＢ１１００のベースバンド処理部１１１０は入替指示に基づき、送信データを生成する（ステップＳ５０５）。
【０１７３】
また、ＮｏｄｅＢ１２００の監視部１２２０は、ＮｏｄｅＢ１２００のベースバンド処理部１２１０に入替指示を入力する。ベースバンド処理部１２１０は入替指示に基づき、送信データを生成する（ステップＳ５０５）。
【０１７４】
データ多重処理部１３００は、ｅＮｏｄｅＢ１１００のベースバンド処理部１１１０から入力された入替情報に基づき、ベースバンド処理部１２１０から入力されたデータを入れ替える（ステップＳ５０６）。同様に、データ多重処理部１３００は、ＮｏｄｅＢ１２００のベースバンド処理部１２１０から入力された入替情報に基づき、ベースバンド処理部１２１０から入力されたデータを入れ替える（ステップＳ５０６）。具体的には、データ多重処理部１３００は、ステップＳ５０６の処理で、ｅＮｏｄｅＢ１１００から入力された０系の送信データと、ＮｏｄｅＢ１２００から入力された０系の送信データとを１系フィールドに多重し、ステップＳ５０８の処理に移行する。したがって、本例では、ｅＮｏｄｅＢ１１００から入力された０系の送信データおよびＮｏｄｅＢ１２００から入力された０系の送信データが１系フィールドに挿入されるので、これらの０系の送信データが１系の送信アンテナ３６０から送信されることになる。
【０１７５】
監視部１１２０が共用ＲＥ３００から故障通知を受信しなかった場合（ステップＳ５０１のＮ）、監視部１１２０が、故障通知によって示される内容が送信増幅器の故障に関する内容でないと判断した場合（ステップＳ５０２のＮ）、または監視部１１２０が、故障通知によって示される内容が０系の送信増幅器３３０の故障に関する内容でないと判断した場合に（ステップＳ５０３のＮ）、監視部１１２０は、ベースバンド処理部１１１０およびＮｏｄｅＢ１２００の監視部１２２０に、入替指示を入力しない（ステップＳ５０７）。したがって、ｅＮｏｄｅＢ１１００のベースバンド処理部１１１０およびＮｏｄｅＢ１２００のベースバンド処理部１２１０は、入替情報を付加せずに、送信データを生成する（ステップＳ５０７）。そして、データ多重処理部１３００は、ｅＮｏｄｅＢ１１００から入力された送信データおよびＮｏｄｅＢ１２００から入力された送信データを入れ替えずに多重し（ステップＳ５０７）、ステップＳ５０８の処理に移行する。なお、故障通知によって示される内容が０系の送信増幅器３３０の故障に関する内容でない場合は、例えば、故障通知によって示される内容が１系の送信増幅器３４０の故障に関する内容である場合である。また、例えば、入替情報が付加されていない場合に、データ多重処理部１３００は、０系フィールドに０系の送信データを挿入する。
【０１７６】
データ多重処理部１３００は、共用ＲＥ３００に、多重したデータを送信する（ステップＳ５０８）。
【０１７７】
また、ｅＮｏｄｅＢ１１００の監視部１１２０は、保守監視制御装置５００に、故障通知と入替状態通知とを送信する。また、ＮｏｄｅＢ１２００の監視部１２２０は、保守監視制御装置６００に、故障通知と入替状態通知とを送信する。
【０１７８】
図１４は、共用ＲＥ３００が実行するデータの送信処理を示すフローチャートである。本例では、０系の送信増幅器３３０が故障しているとする。
【０１７９】
共用ＲＥ３００のデータ処理部３１０は、データ多重処理部１３００から送信されたデータを受信する（ステップＳ６０１）。
【０１８０】
ステップＳ６０２では、図１０に示す第１の実施形態におけるステップＳ４０２と同様の処理を実行する（ステップＳ６０２）。
【０１８１】
ステップＳ６０３では、図１０に示す第１の実施形態におけるステップＳ４０３と同様の処理を実行する（ステップＳ６０３）。
【０１８２】
ステップＳ６０４では、図１０に示す第１の実施形態におけるステップＳ４０４と同様の処理を実行する（ステップＳ６０４）。本例では、１系フィールドに挿入された０系の送信データに基づき変調された搬送波は、１系の送信アンテナ３６０から送信される。
【０１８３】
本実施形態によれば、第１の実施形態と同様の効果を奏することができる。
【０１８４】
なお、ｅＮｏｄｅＢ１１００の監視部１１２０は、データ多重処理部１３００に入替指示を入力するように構成されていてもよい。そして、データ多重処理部１３００は、当該入替指示に基づき、データを入れ替えるように構成されていてもよい。例えば、データ多重処理部１３００は、入替指示に基づき、０系の送信データが１系の送信アンテナ３６０から送信されるようにデータを入れ替える。具体的には、例えば、データ多重処理部１３００は、入替指示に基づき、０系フィールドに、ｅＮｏｄｅＢ１１００およびＮｏｄｅＢ１２００で生成された１系の送信データを挿入する。また、例えば、データ多重処理部１３００は、入替指示に基づき、１系フィールドに、ｅＮｏｄｅＢ１１００およびＮｏｄｅＢ１２００で生成された０系の送信データを挿入する。したがって、ｅＮｏｄｅＢ１１００によって生成された０系の送信データおよびＮｏｄｅＢ１２００によって生成された０系の送信データが、１系フィールドに挿入されるため、当該データが１系の送信アンテナ３６０から送信される。よって、通信システム２は、携帯電話機等の通信装置と通信を行う無線通信装置（例えば、共用ＲＥ３００）の一部が故障した場合にも、残部によって通信処理を継続することができる。
【０１８５】
また、データ多重処理部１３００は、入替指示が入力された場合に、０系フィールドに、１系の送信データを挿入せずに、１系の送信データを破棄するように構成されていてもよい。この場合に、データ多重処理部１２０は、０系フィールドにヌル値を挿入するように構成されていてもよい。そして、データ多重処理部１３００は、共用ＲＥ３００に、１系フィールドに挿入された０系の送信データおよび０系フィールドに挿入されたヌル値を送信する。このような構成によれば、１系の送信データに対する処理が実行されないので、データ多重処理部１３００の処理負荷を軽減することができる。
【０１８６】
＜第３の実施形態＞
次に、第３の実施形態の基地局１０について、図面を参照して説明する。
【０１８７】
図１５は、第３の実施形態の基地局１０の構成例を示すブロック図である。図１５に示すように、基地局１０は、送信データ生成部１１と、故障検出部１２とを含む。
【０１８８】
基地局１０は、例えば、図１に示す第１の実施形態におけるｅＮｏｄｅＢ１００、または図１に示す第１の実施形態におけるＮｏｄｅＢ２００に相当する。また、基地局１０は、例えば、図１１に示す第２の実施形態における一体型基地局１０００、ｅＮｏｄｅＢ１１００、またはＮｏｄｅＢ１２００に相当する。
【０１８９】
送信データ生成部１１は、例えば、図２に示す第１の実施形態におけるベースバンド処理部１１０およびデータ多重処理部１２０に相当する。また、送信データ生成部１１は、例えば、図３に示す第１の実施形態におけるベースバンド処理部２１０およびデータ多重処理部２２０に相当する。また、送信データ生成部１１は、例えば、図１２に示す第２の実施形態におけるベースバンド処理部１１１０およびデータ多重処理部１３００に相当する。また、送信データ生成部１１は、例えば、図１２に示す第２の実施形態におけるベースバンド処理部１２１０およびデータ多重処理部１３００に相当する。
【０１９０】
故障検出部１２は、例えば、図２に示す第１の実施形態における監視部１３０に相当する。また、故障検出部１２は、例えば、図３に示す第１の実施形態における監視部２３０に相当する。また、故障検出部１２は、例えば、図１２に示す第２の実施形態における監視部１１２０に相当する。また、故障検出部１２は、例えば、図１２に示す第２の実施形態における監視部１２２０に相当する。
【０１９１】
基地局１０は、データに基づく信号を送信する複数の送信部を含む送信装置に接続されている。なお、送信装置は、例えば、図１に示す第１の実施形態における共用ＲＥ３００または図１１に示す第２の実施形態における共用ＲＥ３００に相当する。また、複数の送信部は、例えば、図４に示す第１の実施形態または図１１に示す第２の実施形態における送信増幅器３３０および送信アンテナ３５０と、送信増幅器３４０および送信アンテナ３６０とに相当する。
【０１９２】
送信データ生成部１１は、複数の送信部に応じたデータを含む送信データを生成し、生成した当該送信データを送信装置に供給する。また、送信データ生成部１１は、複数の送信部のうち一の送信部によって送信される信号に応じたデータである特定データを含む送信データを生成し、故障検出部１２が当該一の送信部が故障したことを検出した場合に、当該特定データに基づく信号が当該一の送信部でない他の送信部によって送信されるように当該送信データを生成する。なお、一の送信部は、例えば、図４に示す第１の実施形態または図１１に示す第２の実施形態における送信増幅器３３０および送信アンテナ３５０に相当する。また、他の送信部は、例えば、図４に示す第１の実施形態または図１１に示す第２の実施形態における送信増幅器３４０および送信アンテナ３６０に相当する。また、特定データは、第１の実施形態または第２の実施形態における通信装置９００が信号の位相や無線チャネルの伝搬状態等を推定するために使用する基準信号に関連するデータに相当する。
【０１９３】
故障検出部１２は、複数の送信部の動作状態を監視する。
【０１９４】
本実施形態によれば、基地局１０は、複数の送信部に応じたデータを含む送信データを生成し、生成した当該送信データを送信装置に供給する。また、基地局１０は、複数の送信部の動作状態を監視する。また、基地局１０は、複数の送信部のうち一の送信部によって送信される信号に応じたデータである特定データを含む送信データを生成し、当該一の送信部が故障したことを検出した場合に、当該特定データに基づく信号が当該一の送信部でない他の送信部によって送信されるように当該送信データを生成する。
【０１９５】
したがって、基地局１０は、携帯電話機等の通信装置と通信を行う無線通信装置（例えば、送信装置）の一部が故障した場合にも、残部によって通信処理を継続することができる。
【０１９６】
＜第４の実施形態＞
次に、第４の実施形態の通信システム３について、図面を参照して説明する。
【０１９７】
図１６は、第４の実施形態の通信システム３の構成例を示すブロック図である。図１６に示すように、通信システム３は、送信装置１３と、基地局１４とを含む。送信装置１３は、例えば、図１に示す第１の実施形態または図１１に示す第２の実施形態における共用ＲＥ３００に相当する。また、基地局１４は、例えば、図１に示す第１の実施形態におけるｅＮｏｄｅＢ１００、または図１に示す第１の実施形態におけるＮｏｄｅＢ２００に相当する。また、基地局１０は、例えば、図１２に示す第２の実施形態における一体型基地局１０００、ｅＮｏｄｅＢ１１００、またはＮｏｄｅＢ１２００に相当する。
【０１９８】
送信装置１３は、データに基づく信号を送信する複数の送信部を含む。なお、複数の送信部は、例えば、図４に示す第１の実施形態または図１１に示す第２の実施形態における送信増幅器３３０および送信アンテナ３５０と、送信増幅器３４０および送信アンテナ３６０とに相当する。
【０１９９】
基地局１４は、送信装置１３に接続されている。また、基地局１４は、複数の送信部に応じたデータを含む送信データを生成し、生成した当該送信データを送信装置１３に供給する送信データ生成部１５と、当該複数の送信部の動作状態を監視する故障検出部１６とを備える。
【０２００】
なお、送信データ生成部１５は、例えば、図２に示す第１の実施形態におけるベースバンド処理部１１０およびデータ多重処理部１２０に相当する。また、送信データ生成部１５は、例えば、図３に示す第１の実施形態におけるベースバンド処理部２１０およびデータ多重処理部２２０に相当する。また、送信データ生成部１５は、例えば、図１２に示す第２の実施形態におけるベースバンド処理部１１１０およびデータ多重処理部１３００に相当する。また、送信データ生成部１５は、例えば、図１２に示す第２の実施形態におけるベースバンド処理部１２１０およびデータ多重処理部１３００に相当する。
【０２０１】
また、故障検出部１６は、例えば、図２に示す第１の実施形態における監視部１３０に相当する。また、故障検出部１６は、例えば、図３に示す第１の実施形態における監視部２３０に相当する。また、故障検出部１６は、例えば、図１２に示す第２の実施形態における監視部１１２０に相当する。また、故障検出部１６は、例えば、図１２に示す第２の実施形態における監視部１２２０に相当する。
【０２０２】
また、送信データ生成部１５は、複数の送信部のうち一の送信部によって送信される信号に応じたデータである特定データを含む送信データを生成し、故障検出部１６が当該一の送信部が故障したことを検出した場合に、当該特定データに基づく信号が当該一の送信部でない他の送信部によって送信されるように当該送信データを生成する。なお、一の送信部は、例えば、図４に示す第１の実施形態または図１１に示す第２の実施形態における送信増幅器３３０および送信アンテナ３５０に相当する。また、他の送信部は、例えば、図４に示す第１の実施形態または図１１に示す第２の実施形態における送信増幅器３４０および送信アンテナ３６０に相当する。また、特定データは、第１の実施形態または第２の実施形態における通信装置９００が信号の位相や無線チャネルの伝搬状態等を推定するために使用する基準信号に関連するデータに相当する。
【０２０３】
本実施形態によれば、基地局１４は、複数の送信部に応じたデータを含む送信データを生成し、生成した当該送信データを送信装置に供給する。また、基地局１４は、複数の送信部の動作状態を監視する。また、基地局１４は、複数の送信部のうち一の送信部によって送信される信号に応じたデータである特定データを含む送信データを生成し、当該一の送信部が故障したことを検出した場合に、当該特定データに基づく信号が当該一の送信部でない他の送信部によって送信されるように当該送信データを生成する。
【０２０４】
したがって、通信システム３は、携帯電話機等の通信装置と通信を行う無線通信装置（例えば、送信装置１３）の一部が故障した場合にも、残部によって通信処理を継続することができる。
【０２０５】
以上、本発明の実施形態を説明したが、本発明は、上記したそれぞれの実施形態に限定されるものではない。本発明は、各実施形態の変形、置換および調整に基づいて実施できる。また、本発明は、各実施形態を任意に組合せて実施することもできる。すなわち、本発明は、本明細書の全ての開示内容、技術的思想に従って実現できる各種変形、修正を含む。なお、各図面に付記した図面参照符号は、理解を助けるための一例として各要素に便宜上付記したものであり、本発明を図示の態様に限定することを意図するものではない。
【０２０６】
上記の実施形態の一部又は全部は、以下の付記のようにも記載されうるが、以下には限られない。
【０２０７】
（付記１）
データに基づく信号を送信する複数の送信手段を含む送信装置に接続され、
前記複数の送信手段に応じた前記データを含む送信データを生成し、生成した前記送信データを前記送信装置に供給する送信データ生成手段と、
前記複数の送信手段の動作状態を監視する故障検出手段とを備え、
前記送信データ生成手段は、
前記複数の送信手段のうち一の送信手段によって送信される信号に応じたデータである特定データを含む送信データを生成し、
前記故障検出手段が前記一の送信手段が故障したことを検出した場合に、前記特定データに基づく信号が前記一の送信手段でない他の送信手段によって送信されるように前記送信データを生成する
ことを特徴とする基地局。
【０２０８】
（付記２）
互いに異なる無線通信方式のそれぞれに応じて、前記送信データ生成手段および前記故障検出手段を含むデータ処理手段を含み、
一のデータ処理手段に含まれる送信データ生成手段は、他のデータ処理手段の故障検出手段が一の送信手段が故障したことを検出した場合に、前記特定データに基づく信号が前記一の送信手段でない他の送信手段によって送信されるように前記送信データを生成する
付記１に記載の基地局。
【０２０９】
（付記３）
前記他のデータ処理手段に含まれる故障検出手段は、前記送信装置に含まれる複数の送信手段のうち一の送信手段が故障したことを検出した場合に、前記一のデータ処理手段に故障が発生したことを通知し、
前記通知がなされた前記一のデータ処理手段に含まれている送信データ生成手段は、前記送信装置に含まれる前記複数の送信手段のうち前記一の送信手段でない他の送信手段によって送信されるように前記送信データを生成する
付記２に記載の基地局。
【０２１０】
（付記４）
前記送信データ生成手段は、
各送信手段に応じた所定のフィールドにデータを配置して送信データを生成することによって、各送信手段による対応するデータに基づく信号の送信を可能にし、
前記故障検出手段が前記一の送信手段が故障したことを検出した場合に、前記一の送信手段でない他の送信手段に応じたフィールドに、前記特定データを配置した送信データを生成する
付記１から付記３のうちいずれか１項に記載の基地局。
【０２１１】
（付記５）
前記送信装置を含む
付記１から付記４のうちいずれか１項に記載の基地局。
【０２１２】
（付記６）
データに基づく信号を送信する複数の送信手段を含む送信装置と、
前記送信装置に接続され、前記複数の送信手段に応じた前記データを含む送信データを生成し、生成した前記送信データを前記送信装置に供給する送信データ生成手段および前記複数の送信手段の動作状態を監視する故障検出手段を備える基地局と
を含み、
前記送信データ生成手段は、
前記複数の送信手段のうち一の送信手段によって送信される信号に応じたデータである特定データを含む送信データを生成し、
前記故障検出手段が前記一の送信手段が故障したことを検出した場合に、前記特定データに基づく信号が前記一の送信手段でない他の送信手段によって送信されるように前記送信データを生成する
ことを特徴とする通信システム。
【０２１３】
（付記７）
前記基地局は、互いに異なる無線通信方式のそれぞれに応じて、前記送信データ生成手段および前記故障検出手段を含むデータ処理手段を含み、
一のデータ処理手段に含まれる送信データ生成手段は、他のデータ処理手段の故障検出手段が一の送信手段が故障したことを検出した場合に、前記特定データに基づく信号が前記一の送信手段でない他の送信手段によって送信されるように前記送信データを生成する
付記６に記載の通信システム。
【０２１４】
（付記８）
データに基づく信号を送信する送信装置に含まれる複数の送信手段のうち一の送信手段によって送信される信号に応じたデータである特定データを含む送信データを生成し、生成した前記送信データを前記送信装置に供給し、
前記複数の送信手段の動作状態を監視し、
前記一の送信手段が故障したことを検出した場合に、前記特定データに基づく信号が前記一の送信手段でない他の送信手段によって送信されるように前記送信データを生成する
ことを特徴とする通信方法。
【０２１５】
（付記９）
前記送信装置の各送信手段に応じた所定のフィールドにデータを配置して送信データを生成することによって、各送信手段による対応するデータに基づく信号の送信を可能にし、
前記一の送信手段が故障したことを検出した場合に、前記一の送信手段でない他の送信手段に応じたフィールドに、前記特定データを配置した送信データを生成する
付記８に記載の通信方法。
【０２１６】
（付記１０）
コンピュータに、
データに基づく信号を送信する送信装置に含まれる複数の送信手段に応じた前記データを含む送信データを生成し、生成した前記送信データを前記送信装置に供給する送信データ生成処理と、
前記複数の送信手段の動作状態を監視する故障検出処理とを実行させ、
前記送信データ生成処理で、
前記複数の送信手段のうち一の送信手段によって送信される信号に応じたデータである特定データを含む送信データを生成させ、
前記故障検出処理で前記一の送信手段が故障したことが検出された場合に、前記特定データに基づく信号が前記一の送信手段でない他の送信手段によって送信されるように前記送信データを生成させる
ための通信制御用プログラム。
【０２１７】
（付記１１）
互いに異なる無線通信方式のそれぞれに応じて、前記送信データ生成処理および前記故障検出処理を実行させ、
一の送信データ生成処理で、他の故障検出処理で一の送信手段が故障したことが検出された場合に、前記特定データに基づく信号が前記一の送信手段でない他の送信手段によって送信されるように前記送信データを生成させる
付記１０に記載の通信制御用プログラム。
【符号の説明】
【０２１８】
１、２、３  通信システム
１０、１４  基地局
１１、１５  送信データ生成部
１２、１６  故障検出部
１３  送信装置
１００、１１００  ｅＮｏｄｅＢ
１１０、２１０、１１１０、１２１０  ベースバンド処理部
１２０、２２０、１３００  データ多重処理部
１３０、２３０、３２０、１１２０、１２２０  監視部
２００、１２００  ＮｏｄｅＢ
３００  共用ＲＥ
３１０  データ処理部
３３０、３４０  送信増幅器
３５０、３６０  送信アンテナ
４００  ＲＥ
５００、６００  保守監視制御装置
５１０、６１０  監視制御部
７００、８００  コアネットワーク
９００  通信装置
１０００  一体型基地局
【図１】
2018121138.tif 000003
【図２】
2018121138.tif 000004
【図３】
2018121138.tif 000005
【図４】
2018121138.tif 000006
【図５】
2018121138.tif 000007
【図６】
2018121138.tif 000008
【図７】
2018121138.tif 000009
【図８】
2018121138.tif 000010
【図９】
2018121138.tif 000011
【図１０】
2018121138.tif 000012
【図１１】
2018121138.tif 000013
【図１２】
2018121138.tif 000014
【図１３】
2018121138.tif 000015
【図１４】
2018121138.tif 000016
【図１５】
2018121138.tif 000017
【図１６】
2018121138.tif 000018